(57)【特許請求の範囲】
【請求項１】
光ファイバどうしの光接続部および余長を収納する余長収納トレイであって、
トレイ底板部の光接続部収納領域に、複数の光接続部を保持可能な光接続部群ホルダ着脱可能に備えるとともに、前記光接続部群ホルダとして２種類の光接続部群ホルダが用意されており、
前記２種類の光接続部群ホルダはいずれも、トレイ底板部の光接続部収納領域に着脱可能な平板部の上面に、光ファイバどうしの融着接続部を保護部材で保護してなる概ね筒状の光接続部を保持する複数対の保持リブを備えるとともに、一方の光接続部群ホルダは、単心光ファイバ心線融着接続部の保護スリーブを上下２段に保持可能な保持リブを持つ単心線用の光接続部群ホルダであり、他方の光接続部群ホルダは、リボン光ファイバ心線融着接続部の保護スリーブを保持可能な保持リブを持つリボン心線用の光接続部群ホルダであることを特徴とする余長収納トレイ。
【請求項２】
前記光接続部群ホルダは、その平板部の下面に、トレイ底板部の光接続部収納領域にあけた係合穴に係合する係合爪を備えたことを特徴とする請求項１記載の余長収納トレイ。
【請求項３】
請求項１の余長収納トレイに光ファイバどうしの光接続部及び余長を収納する余長収納トレイへの光接続部・余長収納方法であって、
光接続部群ホルダをトレイ底板部から外した状態で、その保持リブに光ファイバ心線どうしの光接続部を保持し、次いで、この光接続部群ホルダを余長収納トレイの光接続部収納領域に装着することを特徴とする余長収納トレイへの光接続部・余長収納方法。
【発明の詳細な説明】
【０００１】
【発明の属する技術分野】
この発明は、例えば光クロージャ等において、光ファイバどうしの光接続部および余長を収納する余長収納トレイに関する。
【０００２】
【従来の技術】
光線路における光ファイバケーブルの接続個所に設置される光クロージャとして、光ファイバどうしの光接続部および余長を収納する余長収納トレイを内部に積層配置するトレイ方式のメカニカル光クロージャが広く採用されている。
この種の光クロージャにおける前記余長収納トレイは、例えば光ファイバどうしを融着接続し保護スリーブで保護してなる光接続部を収納する場合、光接続部を保持する保持リブを複数対、トレイ底板部に一体に設けた構造の例えばプラスチック成形品が一般に採用されている。
【０００３】
図９は前記のように保持リブで光接続部を保持する方式の従来の余長収納トレイの一例を示すもので、トレイ底板部の要部の平面図である。保持リブで光接続部を保持する方式を採用する場合、従来は、同図に示すように、トレイ底板部１に、両側に厚肉部２ａを持ち中間部に薄肉部２ｂを持つ複数の保持リブ２を並べて配置する構造の余長収納トレイが使用されている。
この保持リブ２は、一つの余長収納トレイで、単心線用（単心光ファイバ心線用）の保護スリーブおよびリボン心線用（リボン光ファイバ心線用）の保護スリーブのいずれにも対応できるようにしたものである。すなわち、一般に、図９に示すように、単心光ファイバ心線３ａの接続部に用いる保護スリーブ４ａは細くかつ長く、リボン光ファイバ心線３ｂの接続部に用いる保護スリーブ４ｂは太くかつ短いため、前記の厚肉部２ａと薄肉部２ｂとを持つ保持リブ２は、図示の通り、薄肉部２ｂ間に形成される幅の広いスペースのみでリボン心線用の保護スリーブ４ｂを保持することができ、両側の厚肉部２ａ間に形成される幅の狭いスペースで単心線用の保護スリーブ４ａの両側を保持することができる。なお、この保持リブ２は入口が狭くなっており、保護スリーブ４ａ、４ｂはその狭い入口から押し込んで図９のように収容するようになっているので、力を加えずに保持部（保持リブ２間のスペース）から飛び出すことはない。
【０００４】
また、図１０に示すように、長さ方向外側の保持リブ８の間隔を狭く、長さ方向中央側の保持リブ９の間隔を広く設け、長さ方向外側の保持リブ８で径の小なる単心線用保護スリーブ４ａを挟持し、長さ方向中央側の保持リブ９で径の大なるリボン心線用保護スリーブ４ｂを挟持するようにした構造のものもある。なお、１０は径の大なるリボン心線用保護スリーブ４ｂに合わせた浅い凹部である。この構造では、保護スリーブ４ａ、４ｂは保持リブ８または９で強く挟持されるので、保護スリーブ４ａ，４ｂは確実に固定される。
【０００５】
【発明が解決しようとする課題】
上記の図９の構造では、保持リブ２が保護スリーブ４ａ、４ｂを強く挟持するものではなく、これを完全に固定しないので、光クロージャが設置作業等の際に激しく動けば、保護スリーブ４ａ、４ｂが動き、保持部（保持リブ２間のスペース）から飛び出してしまう場合がある。
【０００６】
一方、図１０の構造は、保持リブ８、９が保護スリーブ４ａ、４ｂを挟持して確実に固定するので、保護スリーブ４ａ、４ｂが動くという問題は解消されるが、別な問題が発生する。すなわち、図１０の構造では、単心線用保護スリーブ４ａとリボン心線用保護スリーブ４ｂの長さが異なって始めて、固定可能となる構造である。日本で使用されている一般的な保護スリーブの場合は、前述した通り、単心線用保護スリーブ４ａとリボン心線用保護スリーブ４ｂの長さに差があるので、図１０の構造が有効であるが、海外では単心線用保護スリーブの長さがリボン心線用保護スリーブと同じ場合があり、そのような場合には、この構造は適用できない。
【０００７】
本発明は上記事情に鑑みてなされたもので、光ファイバどうしの光接続部、例えば保護スリーブ部分等をみだりに動かないように保持することができるとともに、光接続部の径や長さ等のサイズが異なる場合に容易に対応できる余長収納トレイを提供することを目的とする。
【０００８】
【課題を解決するための手段】
上記課題を解決する本発明は、光ファイバどうしの光接続部および余長を収納する余長収納トレイであって、
トレイ底板部の光接続部収納領域に、複数の光接続部を保持可能な光接続部群ホルダ着脱可能に備えるとともに、前記光接続部群ホルダとして２種類の光接続部群ホルダが用意されており、
前記２種類の光接続部群ホルダはいずれも、トレイ底板部の光接続部収納領域に着脱可能な平板部の上面に、光ファイバどうしの融着接続部を保護部材で保護してなる概ね筒状の光接続部を保持する複数対の保持リブを備えるとともに、一方の光接続部群ホルダは、単心光ファイバ心線融着接続部の保護スリーブを上下２段に保持可能な保持リブを持つ単心線用の光接続部群ホルダであり、他方の光接続部群ホルダは、リボン光ファイバ心線融着接続部の保護スリーブを保持可能な保持リブを持つリボン心線用の光接続部群ホルダであることを特徴とする。
【０００９】
請求項２は、請求項１記載の余長収納トレイにおける光接続部群ホルダが、その平板部の下面に、トレイ底板部の光接続部収納領域にあけた係合穴に係合する係合爪を備えたことを特徴とする。
【００１０】
請求項３の発明は、請求項１の余長収納トレイに光ファイバどうしの光接続部及び余長を収納する余長収納トレイへの光接続部・余長収納方法であって、
光接続部群ホルダをトレイ底板部から外した状態で、その保持リブに光ファイバ心線どうしの光接続部を保持し、次いで、この光接続部群ホルダを余長収納トレイの光接続部収納領域に装着することを特徴とする。
【００１１】
【発明の実施の形態】
以下、本発明の実施の形態を図１〜図７を参照して説明する。図１は本発明の一実施形態の余長収納トレイ１１の斜視図、図２は図１の余長収納トレイ１１の平面図である。この余長収納トレイ１１は、ポリプロピレン等のプラスチック成形品であり、細長い概ね長円状のトレイ底板部１２の周囲を、これと一体の直線状の側壁１３および概ねＣ字形の側壁１４で囲み、側壁１３、１４の上縁部の複数個所から心線押さえ用舌片１５がそれぞれ内方に延出している。なお、トレイ底板部１２の心線押さえ用舌片１５の下方位置は穴１２ｅとなっている。また、直線状の側壁１３の両端部とＣ字形の側壁１４の両端部との間のスペースを光ファイバ口１６としている。図示例では仕切板１７で光ファイバ口１６を２分割している。
余長収納トレイ１１の光ファイバ口１６のある一辺側の側壁（側壁１３）の外面にはヒンジ部２０が設けられ、他辺側の側壁（側壁１４の直線部）には、係合爪２１および係合凹部２２が設けられている。この係合爪２１と係合凹部２２は、後述するように、積層した余長収納トレイ１１の隣接するものどうしをロックするためのものである。
【００１２】
この余長収納トレイ１１のトレイ底板部１２の両側部分は余長収納部２３とされ、中央部分は光接続部収納領域２４とされている。
前記光接続部収納領域２４は、詳細は後述する光接続部群ホルダ２６を装着する部分であり、図３（イ）、（ロ）に拡大して示すように、概ね矩形板状の光接続部群ホルダ２６が嵌まり込む浅く平坦な矩形凹所１２ａ、この矩形凹所１２ａの四隅の係合穴１２ｂ、中央の係合穴１２ｃを備えている。四隅の係合穴１２ｂは図３（ロ）に示すように、全体が貫通する穴でなく、裏面側に段部１２ｄを持つ。
【００１３】
前記光接続部群ホルダ２６の詳細構造を説明すると、図４（イ）、（ロ）、（ハ）に示した光接続部群ホルダ２６は、リボン光ファイバ心線用ものであり、矩形の平板部２８の上面に、リボン心線用の保護スリーブ４ｂを挟持する保持リブ２９を複数対備えるとともに、下面の四隅にトレイ底板部１２の前記係合穴１２ｂに係合する係合爪２８ｂを備え、中央に前記係合穴１２ｃに係合する係合爪２８ｃを備えている。
【００１４】
図５に単心光ファイバ心線用の光接続部群ホルダ２６’を示す。この単心光ファイバ心線用の光接続部群ホルダ２６’は、平板部２８および下面の係合爪２８ｂ、２８ｃは前述のリボン光ファイバ心線用の光接続部群ホルダ２６と同じであるが、平板部２８の上面に設けた保持リブ２９’は、高さ方向の中央部が若干くびれた８の字形の保持部を持つ形状で、単心線用の保護スリーブ４ａを上下２段に保持する。
【００１５】
光ファイバケーブル接続時の作業について説明すると、図２において、一方（左側）の光ファイバケーブル３１から取り出された光ファイバ心線３と、他方（右側）の光ファイバケーブル３１から取り出された光ファイバ心線３とは、光ファイバ融着接続機で裸ファイバどうしの融着接続を行なった後、その融着接続部が保護スリーブ４（４ａまたは４ｂ）で保護される。
次いで、接続した光ファイバ心線３の光接続部すなわち保護スリーブ４の部分を前述の光接続部群ホルダ２６（２６’）上の保持リブ２９（２９’）にそれぞれ嵌め込んで、各保護スリーブ４を挟持する。なお、単心線かリボン心線かに応じて単心線用光接続部群ホルダ２６’またはリボン心線用光接続部群ホルダ２６を用いる。
そして、左右の光ファイバ心線３を左右の光ファイバ口１６からそれぞれ導き入れ、余長収納部２３に廻らせて収納するとともに、各保護スリーブ４を保持した光接続部群ホルダ２６を光接続部収納領域２４に装着する。これにより、光ファイバ心線３の光接続部（保護スリーブ４の部分）およびその両側の余長部がこの余長収納トレイ１１内に収容される。
【００１６】
各保護スリーブ４を保持した光接続部群ホルダ２６を光接続部収納領域２４に装着した状態は図６に示す通りであり、平板部２８が光接続部収納領域２４の矩形凹所１２ａに嵌まり込むとともに、四隅の係合爪２８ｂおよび中央の係合爪２８ｃが係合穴１２ｂ、１２ｃに差し込まれ係合する。この場合、光接続部収納領域２４に浅い矩形凹所１２ａを設けているので、光接続部群ホルダ２６の平板部２８がトレイ底板部１２の上面から突出しない。また、係合穴１２ｂに段部１２ｄを形成しているので、係合爪２８ｂはトレイ底板部１３の裏面から突出しない。
なお、図６に示したものはリボン光ファイバ心線用の光接続部群ホルダ２６であり、リボン心線用保護スリーブ４ｂが挟持間隔の広い保持リブ２９で挟持されている。光ファイバ心線が単心光ファイバ心線の場合は、図５に示した光接続部群ホルダ２６’を用いる。単心線はリボン心線より細いので、単心線用の光接続部群ホルダ２６’の保持リブ２９’の保持間隔は、リボン心線用の保持リブ２９の間隔より狭い。
【００１７】
上記のように、この余長収納トレイ１１は、着脱可能な単心線用およびリボン心線用のそれぞれ専用の光接続部群ホルダ２６（２６’）を備えているので、それを交換することで、単心光ファイバ心線にもリボン光ファイバ心線にも対応することができる。したがって、保護スリーブ４の種類によって、余長収納トレイを変える必要がなく、経済性がよい。
また、専用の光接続部群ホルダ２６（２６’）であり、保護スリーブ４の保持手段が保護スリーブ４の長さに依存せず、同一でも特に支障はないので、海外での使用に問題は生じない。
また、光接続部群ホルダ２６（２６’）は光接続部（保護スリーブ４の部分）を保持リブ２９（２９’）で挟持するので、堅固に固定することができ、光接続部（保護スリーブ４）がみだりに動くことはない。したがって、光クロージャ設置作用の作業性が向上する。
また、複数の光接続部を保持した光接続部群ホルダ２６毎交換するので、１回の交換作業ですべての保持部の交換が可能であり、この点でも作業性が向上する。
【００１８】
図７は上記の余長収納トレイ１１を積層配置した光クロージャ３５を模式的に示したもので、光クロージャ３５は、例えば円筒状等のプラスチックスリーブ３６、両側の端面板３７、端面板３７にあけたケーブル貫通穴部分をシールするシール部材３８、光ファイバケーブル３１を把持するケーブル把持金具３９、両側のケーブル把持金具３９間を一体連結する連結棒４０、光ファイバケーブル３１のテンションメンバ（スロットロッド等）４１を把持するテンションメンバ把持金具４２等を備え、例えば前記連結棒４０に余長収納トレイ１１が積層して配置される。
【００１９】
図７のように積層された各余長収納トレイ１１は、図８にも示すように上下に隣接するものどうしがヒンジ部２０で相対的に上下方向に回動可能に連結され、かつ、下側の余長収納トレイ１１の係合爪２１（図１参照）が上側の余長収納トレイ１１の係合凹部２２に係合して、互いにロックされる。
【００２０】
なお、実施形態では余長収納トレイ１１を積層して用いているが、積層しない使用も当然可能である。
また、上記の実施形態では、光ファイバの融着接続部を保護スリーブで保護する例で説明したが、他の保護構造でもよいし、また、融着接続でなく、コネクタ接続による光接続部の場合にも適用できる。この場合は、光接続部群ホルダの上面に光コネクタを着脱可能にする。
また、本発明の余長収納トレイは、通常は光クロージャ内に設置されるが、光ファイバどうしの光接続部および余長を収納する必要のある種々の接続個所に適用可能である。
【００２１】
【発明の効果】
本発明の余長収納トレイは、トレイ底板部の光接続部収納領域に、複数の光接続部を保持可能な光接続部群ホルダを着脱可能に設けた構成であり、かつ、単心線用とリボン心線用との２種類の光接続部群ホルダが用意された構成であるから、それを交換することで、単心線にもリボン心線にも対応することができる。したがって、保護スリーブの種類によって、余長収納トレイを変える必要がなく、経済性がよい。
また、専用の光接続部群ホルダであり、例えば光接続部が保護スリーブである場合に、保護スリーブの保持手段が保護スリーブの長さに依存せず、同一でも特に支障はないので、海外での使用に問題は生じない。
また、光接続部群ホルダは光接続部を保持リブで挟持するので、堅固に固定することができ、光接続部がみだりに動くことはない。したがって、光クロージャ設置作用の作業性が向上する。
また、複数の光接続部を保持した光接続部群ホルダ毎交換できるので、１回の交換作業ですべての保持部の交換が可能であり、この点でも作業性が向上する。
【図面の簡単な説明】
【図１】本発明の一実施形態の余長収納トレイの斜視図である。
【図２】図１の余長収納トレイの平面図である。
【図３】（イ）は上記余長収納トレイのトレイ底板部のホルダ取付部の詳細拡大図、（ロ）は（イ）のＡ−Ａ断面図である。
【図４】上記余長収納トレイのホルダ取付部に取り付けられる光接続部ホルダを示すもので、（イ）は平面図、（ロ）は正面図、（ハ）は左側面図である。
【図５】上記余長収納トレイのホルダ取付部に取り付けられる光接続部ホルダの他の実施形態を示すもので、（イ）は平面図、（ロ）は正面図、（ハ）は左側面図である。
【図６】図４の光接続部ホルダを余長収納トレイのホルダ取付部に取り付けた状態の断面図で、図３（ロ）に対応する図である。
【図７】上記余長収納トレイを備えた光クロージャを模式的に示した断面図である。
【図８】上記余長収納トレイを複数個積層した状態の側面図である。
【図９】従来の余長収納トレイにおける光接続部収納部の要部平面図である。
【図１０】従来の余長収納トレイにおける光接続部収納部の他の例を示す要部平面図である。
【符号の説明】
３  光ファイバ心線
３ａ  単心光ファイバ心線（単心線）
３ｂ  リボン光ファイバ心線（リボン心線）
４  保護スリーブ（光接続部）
４ａ  単心線用保護スリーブ
４ｂ  リボン心線用保護スリーブ
１１  余長収納トレイ
１２  トレイ底板部
１２ａ  矩形凹所
１２ｂ、１２ｃ  係合穴
１２ｄ  段部
１３、１４  側壁部
１５  心線押さえ用舌片
１６  光ファイバ口
２０  ヒンジ部
２１  係合爪
２２  係合凹部
２３  余長収納部
２４  光接続部収納領域
２６、２６’  光接続部群ホルダ
２８  平板部
２８ｂ、２８ｃ  係合爪
２９、２９’  保持リブ
３１  光ファイバケーブル
３５  光クロージャ
【図１】
0003909546.tif 000002
【図２】
0003909546.tif 000003
【図３】
0003909546.tif 000004
【図４】
0003909546.tif 000005
【図５】
0003909546.tif 000006
【図６】
0003909546.tif 000007
【図７】
0003909546.tif 000008
【図８】
0003909546.tif 000009
【図９】
0003909546.tif 000010
【図１０】
0003909546.tif 000011